(57)【要約】  無線端末において無線アクセスネットワークへのアクセスを修正するための方法が提供され得る。当該方法は、無線端末で禁止レートを提供することと、当該無線端末で禁止レート修飾子を提供することと、を含み得る。禁止レート及び禁止レート修飾子に応じて、当該無線端末で、禁止レートと異なる修正された禁止レートが提供され得る。無線アクセスネットワークへのアクセスの試行に応じて、当該無線端末でランダム数が提供され、ランダム数が修正された禁止レートの閾値を充足しないことに応じて、無線アクセスネットワークへの無線端末のアクセスがブロックされ得る。関連する無線端末、ネットワークノード及びネットワークの動作もまた議論される。【選択図】図３
2014525217.tif 000002
【特許請求の範囲】
【請求項１】
無線端末において無線アクセスネットワークへのアクセスを修正する方法であって、
前記無線端末で禁止レート（４０１）を提供することと、
前記無線端末で禁止レート修飾子（４０３）を提供することと、
前記禁止レート及び前記禁止レート修飾子に応じて、前記無線端末で、前記禁止レートと異なる修正された禁止レート（４０７）を提供することと、
前記無線アクセスネットワークへのアクセスの試行に応じて、前記無線端末で、ランダム数（４０９）を提供することと、
前記ランダム数が前記修正された禁止レートの閾値を充足しないことに応じて、前記無線アクセスネットワークへの前記無線端末のアクセス（４１７）をブロックすることと、
を含む方法。
【請求項２】
前記ランダム数が前記修正された禁止レートの前記閾値を充足することに応じて、前記無線アクセスネットワークへのアクセス（４１５）を許容すること、
をさらに含む、請求項１に記載の方法。
【請求項３】
前記禁止レートは、ゼロ以上１以下の確率を表現し、前記禁止レート修飾子は、ゼロと１との間の割合を表現し、前記修正された禁止レートは、前記禁止レートと前記禁止レート修飾子との積を含む、請求項１〜２のいずれかに記載の方法。
【請求項４】
アクセスをブロックすることは、前記ランダム数が前記修正された禁止レートよりも大きいことに応じて、前記無線アクセスネットワークへのアクセスをブロックすること、を含む、請求項３に記載の方法。
【請求項５】
前記禁止レートを提供すること、及び前記禁止レート修飾子を提供することは、前記無線端末で前記無線アクセスネットワークから前記禁止レート及び前記禁止レート修飾子を受信すること、を含む、請求項１〜４のいずれかの請求項に記載の方法。
【請求項６】
前記禁止レート修飾子は、第１の禁止レート修飾子を含み、前記修正された禁止レートは、第１の修正された禁止レートを含み、前記ランダム数は、第１のランダム数を含み、アクセスをブロックすることは、前記無線端末の第１のアクセスをブロックすることを含み、前記方法は、
前記無線アクセスネットワークへの前記第１のアクセスをブロックした後に、前記無線端末で、前記第１の禁止レート修飾子とは異なる第２の禁止レート修飾子を提供することと、
前記禁止レート及び前記第２の禁止レート修飾子に応じて、前記無線端末で、前記禁止レートと異なり、前記第１の修正された禁止レートと異なる、第２の修正された禁止レートを提供することと、
前記無線アクセスネットワークへの前記無線端末の第２のアクセスの試行に応じて、前記無線端末で、第２のランダム数を提供することと、
前記第２のランダム数が前記第２の修正された禁止レートの閾値を充足しないことに応じて、前記無線アクセスネットワークへの前記無線端末の前記第２のアクセスをブロックすることと、
前記第２のランダム数が前記第２の修正された禁止レートの前記閾値を充足することに応じて、前記無線アクセスネットワークへの前記無線端末の前記第２のアクセスを許容することと、
をさらに含む、請求項１〜５のいずれかに記載の方法。
【請求項７】
前記無線端末で、アクセス禁止期間（４０１）を提供することと、
前記無線端末で、アクセス禁止期間修飾子（４０３）を提供することと、
前記アクセス禁止期間及び前記アクセス禁止期間修飾子に応じて、前記無線端末で、前記アクセス禁止期間と異なる修正されたアクセス禁止期間（４０７）を提供することと、
をさらに含み、
前記無線アクセスネットワークへの前記無線端末のアクセスをブロックすることは、前記修正されたアクセス禁止期間により定義される時間ピリオドにわたって前記無線アクセスネットワークへの前記無線端末のアクセスをブロックすること、を含む、
請求項１〜６のいずれかに記載の方法。
【請求項８】
前記アクセス禁止期間は、時間を表現し、前記アクセス禁止期間修飾子は、１よりも大きい倍率を表現し、前記修正されたアクセス禁止期間は、前記アクセス禁止期間と前記アクセス禁止期間修飾子との積を含む、請求項７に記載の方法。
【請求項９】
無線アクセスネットワークと通信するように構成される無線端末（２００）であって、
禁止レート及び禁止レート修飾子を提供し、前記禁止レート及び前記禁止レート修飾子に応じて、前記禁止レートと異なる修正された禁止レートを提供し、前記無線アクセスネットワークへのアクセスの試行に応じて、ランダム数を提供し、前記ランダム数が前記修正された禁止レートの閾値を充足しないことに応じて、前記無線アクセスネットワークへのアクセスをブロックする、ように構成されるプロセッサ（２０１）を備える、
無線端末（２００）。
【請求項１０】
前記禁止レート修飾子は、第１の禁止レート修飾子を含み、前記修正された禁止レートは、第１の修正された禁止レートを含み、前記ランダム数は、第１のランダム数を含み、アクセスをブロックすることは、第１のアクセスをブロックすることを含み、
前記プロセッサ（２０１）は、前記無線アクセスネットワークへの前記第１のアクセスをブロックした後に、前記第１の禁止レート修飾子とは異なる第２の禁止レート修飾子を提供し、前記禁止レート及び前記第２の禁止レート修飾子に応じて、前記禁止レートと異なり、前記第１の修正された禁止レートと異なる、第２の修正された禁止レートを提供し、前記無線アクセスネットワークへの第２のアクセスの試行に応じて、第２のランダム数を提供し、前記第２のランダム数が前記第２の修正された禁止レートの閾値を充足しないことに応じて、前記無線アクセスネットワークへの前記第２のアクセスをブロックし、前記第２のランダム数が前記第２の修正された禁止レートの前記閾値を充足することに応じて、前記無線アクセスネットワークへの前記第２のアクセスを許容する、ようにさらに構成される、
請求項９に記載の無線端末（２００）。
【請求項１１】
前記プロセッサ（２０１）は、アクセス禁止期間及びアクセス禁止期間修飾子を提供し、前記アクセス禁止期間及び前記アクセス禁止期間修飾子に応じて、前記アクセス禁止期間と異なる修正されたアクセス禁止期間を提供し、前記修正されたアクセス禁止期間により定義される時間ピリオドにわたって前記無線アクセスネットワークへのアクセスをブロックする、ようにさらに構成される、請求項９〜１０のいずれかに記載の無線端末（２００）。
【請求項１２】
無線アクセスネットワークのノードにおいて、無線端末のアクセスを修正する方法であって、
相互排他的な第１及び第２のサブセットの無線端末を含む複数の無線端末についての禁止レート（３０１）を提供することと、
前記第１のサブセットの無線端末についての禁止レート修飾子（３０５）を提供することと、
前記複数の無線端末についての前記禁止レート、及び前記第１のサブセットの無線端末についての前記禁止レート修飾子、を送信すること（３０９）と、
を含む方法。
【請求項１３】
前記禁止レート修飾子は、第１の禁止レート修飾子を含み、前記方法は、
前記第２のサブセットの無線端末についての、前記第１の禁止レート修飾子と異なる第２の禁止レート修飾子を提供すること、
をさらに含み、
送信することは、前記第２のサブセットの無線端末についての前記第２の禁止レート修飾子を送信することをさらに含む、
請求項１２に記載の方法。
【請求項１４】
前記禁止レート修飾子は、第１の禁止レート修飾子を含み、前記方法は、
前記第１の禁止レート修飾子を送信した後に、前記第１のサブセットの無線端末についての、前記第１の禁止レート修飾子と異なる第２の禁止レート修飾子を提供することと、
前記第２の禁止レート修飾子を提供した後に、前記第１のサブセットの無線端末についての前記第２の禁止レート修飾子を送信することと、
をさらに含む、請求項１２〜１３のいずれかに記載の方法。
【請求項１５】
前記禁止レートは、ゼロ以上１以下の確率を表現し、前記禁止レート修飾子は、ゼロと１との間の割合を表現する、請求項１２〜１４のいずれかに記載の方法。
【請求項１６】
前記方法は、
前記複数の無線端末についてのアクセス禁止期間（３０１）を提供することと、
前記第１のサブセットの無線端末についてのアクセス禁止期間修飾子（３０５）を提供することと、
をさらに含み、
送信すること（３０９）は、前記複数の無線端末についての前記アクセス禁止期間、及び前記第１のサブセットの無線端末についての前記アクセス禁止期間修飾子、を送信することを含む、
請求項１２〜１５のいずれかに記載の方法。
【請求項１７】
前記アクセス禁止期間は、時間を表現し、前記アクセス禁止期間修飾子は、１よりも大きい倍率を表現する、請求項１６に記載の方法。
【請求項１８】
無線アクセスネットワークのノードであって、
相互排他的な第１及び第２のサブセットの無線端末を含む複数の無線端末についての禁止レートを提供し、前記第１のサブセットの無線端末についての禁止レート修飾子を提供し、前記複数の無線端末についての前記禁止レート、及び前記第１のサブセットの無線端末についての前記禁止レート修飾子、の送信を開始する、ように構成されるプロセッサ（１０１）を備える、
ノード（１００）。
【請求項１９】
前記禁止レート修飾子は、第１の禁止レート修飾子を含み、前記プロセッサ（１０１）は、前記第２のサブセットの無線端末についての、前記第１の禁止レート修飾子と異なる第２の禁止レート修飾子を提供し、前記第２のサブセットの無線端末についての前記第２の禁止レート修飾子の送信を開始する、ようにさらに構成される、請求項１８に記載の前記無線アクセスネットワークのノード（１００）。
【請求項２０】
前記禁止レート修飾子は、第１の禁止レート修飾子を含み、前記プロセッサ（１０１）は、前記第１の禁止レート修飾子を送信した後に、前記第１のサブセットの無線端末についての、前記第１の禁止レート修飾子と異なる第２の禁止レート修飾子を提供し、前記第２の禁止レート修飾子を提供した後に、前記第１のサブセットの無線端末についての前記第２の禁止レート修飾子の送信を開始する、ようにさらに構成される、請求項１８〜１９のいずれかに記載の前記無線アクセスネットワークのノード（１００）。
【発明の詳細な説明】
【技術分野】
【０００１】
［関連出願］
本出願は、２０１１年８月５日に提出された米国仮出願第６１／５１５，５５９号の優先権の利益を主張し、その開示は全体として参照によりここに取り入れられる。
【０００２】
［技術分野］
本開示は、通信を対象とし、より具体的には、通信ネットワークのためのアクセス制御、並びに関連する方法、ノード及び無線端末を対象とする。
【背景技術】
【０００３】
典型的なセルラー無線システムにおいて、無線端末（ユーザ機器ユニットノードあるいはＵＥ、及び／又は移動端末／局ともいう）は、無線アクセスネットワーク（ＲＡＮ）を介して、１つ以上のコアネットワークと通信する。ＲＡＮは、複数のセルエリアに分割される地理的エリアをカバーし、各セルエリアは、無線基地局（ＲＡＮノード、“ＮｏｄｅＢ”及び／又は拡張ノードＢ“ｅＮｏｄｅＢ”ともいう）によりサービスされる。セルエリアは、基地局サイトにある基地局機器により無線カバレッジが提供される地理的エリアである。基地局は、当該基地局のレンジ内の無線端末と、無線通信チャネルを通じて通信する。
【０００４】
３ＧＰＰ（3rd  Generation  Partnership  Project）２２．０１１標準は、ネットワーク内の無線／移動端末のためのアクセス制御（ＡＣ：access  control）について記述している。ある状況下で、無線通信ネットワーク内の無線／移動端末（ＵＥ）がネットワークへアクセスすることを妨げることが有益であり／必要とされ得る。Ｅ−ＵＴＲＡＮ（Evolved-UTRANあるいはEvolved  Universal  Terrestrial  Radio  Access  Network）では、例えば、アクセス制御は、（ａ）輻輳制御、（ｂ）緊急事態、及び／又は（ｃ）他の特殊な事態、といった目的のために、無線／移動端末がネットワークへアクセスする確率を変化させるために、アクセス制御が有益であり／必要とされ得る。
【０００５】
全ての無線／移動端末（ＵＥ）は、アクセスクラス０〜９として定義される１０個のランダムに割り当てられる無線／移動端末の集合のうちの１つのメンバーであり得る。無線／移動端末（ＵＥ）のアクセスクラス番号は、当該無線／移動端末（ＵＥ）のメモリ内に（例えば、ＳＩＭあるいは加入者識別モジュール内に、ＵＳＩＭあるいは普遍的加入者識別モジュール内に、など）記憶され得る。加えて、いくつかの無線／移動端末（ＵＥ）は、やはりメモリ内に（例えば、ＳＩＭ、ＵＳＩＭなどの中に）保存される、５個の特殊カテゴリ（アクセスクラス１１〜１５）のうちの１つ以上のメンバーであり得る。これら特殊カテゴリのメンバーである無線／移動端末（ＵＥ）は、より高いアクセス優先度を与えられ、次のようにカテゴリ分けされ得る：
クラス    説明
１５      ＰＬＭＮ（Public  Land  Mobile  Network）スタッフ
１４      緊急サービス
１３      公共事業（例えば、水道／ガスサプライヤ）
１２      セキュリティサービス
１１      ＰＬＭＮ用途のために予約済み
アクセスクラス１０は、緊急通話のために提供され得る。Ｅ−ＵＴＲＡＮの拡張アクセス制御のための要件が以下に議論される。
【０００６】
Ｅ−ＵＴＲＡＮネットワークにおいて、サービングネットワークは、アクセスクラス０〜９の無線／移動端末（ＵＥ）の共通的に適用されるアクセス制御の平均期間（mean  durations）（例えば、時間的期間）及び禁止レート（barring  rate）をブロードキャストする。禁止レートは、無線／移動端末がネットワークへのアクセスを試行した場合にネットワークへのアクセスが許可される確率を定義し、アクセス制御の平均期間は、禁止されるアクセスの試行の後、無線／移動端末がネットワークへのアクセスの次回の試行を許容されるまでの時間ピリオドを定義する。この仕組みとＵＭＴＳ（Universal  Mobile  Telecommunications  System）の仕組みとの組合せが、アクセスクラス１１〜１５に適用されてもよい。
【０００７】
Ｅ−ＵＴＲＡＮネットワークは、アクセス試行のタイプ（即ち、無線／移動端末から発せられるデータ又は無線／移動端末から発せられるシグナリング）に基づくアクセス制御をサポートしてよく。その場合、無線／移動端末（ＵＥ）の振る舞いをガイドするために、無線／移動端末（ＵＥ）への標識がブロードキャストされる。Ｅ−ＵＴＲＡＮネットワークは、アクセス試行のタイプ（例えば、無線／移動端末発、無線／移動端末終端、ロケーション登録、など）に基づいて、アクセス制御の組合せを形成する。アクセス制御の平均期間及び禁止レートは、アクセス試行の各タイプ（即ち、無線／移動端末から発せられるデータ又は無線／移動端末から発せられるシグナリング）についてブロードキャストされ得る。
【０００８】
無線／移動端末（ＵＥ）は、サービングネットワークから提供される情報で自身の禁止ステータスを判定し、判定した禁止ステータスに従ってアクセス試行を行う。より具体的には、無線／移動端末（ＵＥ）は、ネットワークへのアクセス試行を開始する際に、０と１の間の一様にランダムな数を振り出し／生成し、このランダム数をその時点の禁止レートと比較して、ネットワークへのアクセス試行が禁止されるか（barred）否かを判定する。ランダム数がその時点の禁止レートよりも低く、アクセス試行のタイプが許容を示すならば、ネットワークへのアクセス試行は許容される。そうでなければ（即ち、その時点の禁止レートよりもランダム数が大きければ）、ネットワークへのアクセス試行は許容されない（即ち、ネットワークへのアクセス試行は禁止される）。ネットワークへのアクセス試行が許容されなければ（即ち、ネットワークへのアクセス試行が禁止されるならば）、同じ無線／移動端末（ＵＥ）の同じアクセスタイプでのさらなるネットワークへのアクセス試行はある時間的期間にわたって禁止され、その時間はネットワークにより提供されるアクセス制御の平均期間とＵＥにより振り出されたランダム数とに基づいて計算される。
【０００９】
３ＧＰＰ標準は、さらに、アイドルモードからのモバイル発のセッション要求に、テレフォニーサービスのための独立的なアクセス制御を適用するために、マルチメディアテレフォニー（ＭＭＴｅｌ）機能のためのサービス固有のアクセス制御（ＳＳＡＣ）を次のように記述する。ＥＰＳ（Evolved  Packet  System）は、ＭＭＴｅｌ音声及びＭＭＴｅｌ映像の各々にサービス確率ファクタ（service  probability  factor）とアクセス制御の平均期間とを割り当てるケイパビリティを提供する。また、３ＧＰＰ標準は、回線交換フォールバック（ＣＳＦＢ：circuit  switched  fall  back）のためのアクセス制御も定義する。
【００１０】
ＥＡＢ（extended  access  barring）は、アクセスネットワーク及び／又はコアネットワークの負荷を低減し／予防するために、ＥＡＢのために構成される無線／移動端末（ＵＥ）からのモバイル発（Mobile  Originating）のアクセス試行を事業者が制御するための仕組みである。輻輳の事態において、例えば、ネットワークの事業者は、他の無線／移動端末（ＵＥ）からのアクセスを許可しつつ、ＥＡＢのために構成される無線／移動端末（ＵＥ）からのアクセスを制限することができる。
【００１１】
将来の無線／移動体ネットワークは、同じ無線／移動端末（ＵＥ）により使用される異なるクラスのサービスの間での、及び異なるクラスの無線／移動端末（ＵＥ）の間での差別化を行うかもしれない。従って、そうした差別化を可能とするために、負荷制御のコンセプトを拡張することに関心がおかれ得る。ネットワーク事業者は、例えば、ＭＴＣ（machine  type  communication）デバイスに、他のデバイスタイプのために使用されるアクセス制御とは異なるアクセス制御を用いて、サービスを提供することを望み得る。しかしながら、既存のＥＡＢの仕組みは、次の理由のうちの１つ以上によって、ＭＴＣデバイスに適切にサービスを提供しないかもしれない。
【００１２】
ＭＴＣデバイスは、一様なカテゴリのデバイスではない。ＭＴＣデバイスは、例えば、スマートグリッドアプリケーション、車両通信アプリケーション、センサネットワークアプリケーションなどの、様々なアプリケーションのための様々なサービス特性を提供する多様なシチュエーションで使用され得る。ＭＴＣデバイスは、緊急サービス、セキュリティ機能、ＰＬＭＮスタッフなどのアクセスクラスについての特徴付けからの恩恵をも受け得る。
【００１３】
ＭＴＣデバイスにサービスするネットワークは、通常のＥＡＢの仕組みとは別個の輻輳制御（congestion  control）及び過負荷防止（overload  protection）からの恩恵を受けてもよい。ネットワーク事業者は、例えば、混雑する時間帯の間にエネルギーメータがネットワークへ負荷を与えることを望まないかもしれない。ネットワーク事業者は、低優先度のセンサからのモバイル発のアクセスの頻度が極めて低いことを望むかもしれない。現在のＥＡＢの仕組みは、全てのクラスの端末、ＭＴＣデバイスなどのために、単一のアクセス制御禁止ファクタ／レートと単一のアクセス制御禁止時間とを使用し得る。
【００１４】
それ故、当分野において、移動体無線通信ネットワークと通信する端末／デバイスのための改善されたアクセス禁止制御についてのニーズが引き続き存在する。
【発明の概要】
【発明が解決しようとする課題】
【００１５】
従って、上で言及した不利の少なくともいくつかを解決し、及び／又は通信システムにおけるアクセス制御の性能を改善することが目的である。
【課題を解決するための手段】
【００１６】
本発明のいくつかの実施形態によれば、無線端末において無線アクセスネットワークへのアクセスを修正する方法が提供され得る。上記方法は、上記無線端末で禁止レートを提供することと、上記無線端末で禁止レート修飾子を提供することと、を含み得る。上記禁止レート及び上記禁止レート修飾子に応じて、上記無線端末で、上記禁止レートと異なる修正された禁止レートが提供される。上記無線アクセスネットワークへのアクセスの試行に応じて、上記無線端末でランダム数が提供され、上記ランダム数が上記修正された禁止レートの閾値を充足しないことに応じて、上記無線アクセスネットワークへの上記無線端末のアクセスがブロックされ得る。
【００１７】
禁止レート修飾子を提供することにより、複数の無線端末に提供されるグローバル禁止レートに対して相対的に、無線端末のアクセス制御が修正され得る。例えば、同じグローバル禁止レートが複数の無線端末に提供され得るが、当該複数の無線端末の異なるサブセットについて異なる禁止レート修飾子が提供され得る。それ故、異なるサブセットの無線端末について、異なるアクセスの確率が提供され得る。
【００１８】
本発明の他のいくつかの実施形態によれば、無線端末が、無線アクセスネットワークと通信するように構成され得る。上記無線端末は、禁止レート及び禁止レート修飾子を提供し、上記禁止レート及び上記禁止レート修飾子に応じて、上記禁止レートと異なる修正された禁止レートを提供する、ように構成されるプロセッサを備える。当該プロセッサは、さらに、上記無線アクセスネットワークへのアクセスの試行に応じて、ランダム数を提供し、上記ランダム数が上記修正された禁止レートの閾値を充足しないことに応じて、上記無線アクセスネットワークへのアクセスをブロックする、ように構成され得る。
【００１９】
本発明のまた別の実施形態によれば、無線アクセスネットワークのノードにおいて、無線端末のアクセスを修正する方法が提供され得る。上記方法は、相互排他的な第１及び第２のサブセットの無線端末を含む複数の無線端末についての禁止レートを提供するように構成され得る。上記第１のサブセットの無線端末についての禁止レート修飾子が提供され、上記複数の無線端末についての上記禁止レート、及び上記第１のサブセットの無線端末についての上記禁止レート修飾子、が上記ノードから送信され得る。
【００２０】
本発明のやはり別の実施形態によれば、無線アクセスネットワークのノードは、相互排他的な第１及び第２のサブセットの無線端末を含む複数の無線端末についての禁止レートを提供するように構成されるプロセッサを含み得る。上記プロセッサは、上記第１のサブセットの無線端末についての禁止レート修飾子を提供し、上記複数の無線端末についての上記禁止レート、及び上記第１のサブセットの無線端末についての上記禁止レート修飾子、の送信を開始する、ようにさらに構成され得る。
【図面の簡単な説明】
【００２１】
本開示のさらなる理解を提供するために包含され本出願に取り入れられてその一部を構成する添付図面は、本発明のある非限定的な実施形態を例示する。図面において：
【００２２】
【図１】いくつかの実施形態に従って構成される通信システムのブロック図である。
【図２】図１のいくつかの実施形態に従って無線チャネル上で通信する基地局及び無線端末（ＵＥ）のブロック図である。
【図３】図１及び／又は図２のネットワークエレメントの動作を例示するフローチャートである。
【図４】図１及び／又は図２の無線端末の動作を例示するフローチャートである。
【図５】本発明のいくつかの実施形態に係るネットワークエレメントの概略図である。
【図６】本発明のいくつかの実施形態に係るネットワークエレメントの動作を例示するフローチャートである。
【図７】本発明のいくつかの実施形態に係る無線端末の動作を例示するフローチャートである。
【発明を実施するための形態】
【００２３】
本発明の実施形態の例が示されている添付図面を参照しながら、本発明についてより充分に以下に説明されるであろう。しかしながら、本発明は、多くの異なる形式で具現化されてよく、ここで説明される実施形態に限定されるものと解釈されるべきでない。むしろ、これら実施形態は、本開示を綿密かつ完全とするように、当業者に本発明の範囲が充分に伝わるように提供される。また、これら実施形態が相互排他的でないことにも留意すべきである。１つの実施形態からのコンポーネントは、他の実施形態において現れ／使用されるものと暗に想定され得る。
【００２４】
例示及び説明のみの目的のために、本発明のこれら及び他の実施形態は、無線端末（ＵＥともいう）との間で無線通信チャネル上で通信する無線アクセスネットワーク（ＲＡＮ）において動作する、という文脈でここで説明される。しかしながら、本発明は、そうした実施形態に限定されず、概していかなるタイプの通信ネットワークにおいて具現化されてもよいことが理解されるであろう。ここで使用されるものとして、無線端末あるいはＵＥは、通信ネットワークからデータを受信する任意のデバイスを含むことができ、限定ではないものの、携帯電話（“セルラー”電話）、ラップトップ／ポータブルコンピュータ、ポケットコンピュータ、手持ち型コンピュータ、デスクトップコンピュータ、Ｍ２Ｍ（machine  to  machine）又はＭＴＣタイプデバイス、無線通信インタフェースを有するセンサなどを含み得る。
【００２５】
ＲＡＮのいくつかの実施形態では、複数の基地局を無線ネットワークコントローラ（ＲＮＣ）へ（例えば、地上回線又は無線チャネルで）接続することができる。基地局コントローラ（ＢＳＣ）とも呼ばれることもある無線ネットワークコントローラは、そこに接続される複数の基地局の多様なアクティビティを監督し及び協調させる。無線ネットワークコントローラは、典型的には、１つ以上のコアネットワークに接続される。
【００２６】
ＵＭＴＳ（Universal  Mobile  Telecommunications  System）は、ＧＳＭ（Global  System  for  Mobile  Communications）から進化した第三世代移動体通信システムであり、ＷＣＤＭＡ（Wideband  Code  Division  Multiple  Access）技術に基づく改善された移動体通信サービスを提供することを意図される。ＵＭＴＳ地上無線アクセスネットワークの短縮形であるＵＴＲＡＮは、ＵＭＴＳ無線アクセスネットワークを作り上げるノードＢ及び無線ネットワークコントローラについての総称である。よって、ＵＴＲＡＮは、本質的に、ＵＥについて広帯域符号分割多重アクセスを用いる無線アクセスネットワークである。
【００２７】
３ＧＰＰ（Third  Generation  Partnership  Project）は、ＵＴＲＡＮ及びＧＳＭベースの無線アクセス技術をさらに進化させることに着手した。この点において、Ｅ−ＵＴＲＡＮ（Evolved  Universal  Terrestrial  Radio  Access  Network）についての仕様化が３ＧＰＰ内で進行中である。Ｅ−ＵＴＲＡＮ（Evolved  Universal  Terrestrial  Radio  Access  Network）は、ＬＴＥ（Long  Term  Evolution）及びＳＡＥ（System  Architecture  Evolution）を含む。
【００２８】
なお、本発明の実施形態を例示するために本開示では３ＧＰＰ（Third  Generation  Partnership  Project）ＬＴＥ（Long  Term  Evolution）からの用語が使用されるものの、それはそれらシステムのみに本発明の範囲を限定するものと理解されるべきではない。ＷＣＤＭＡ（Wideband  Code  Division  Multiple  Access）、ＷｉＭａｘ（Worldwide  Interoperability  for  Microwave  Access）、ＵＭＢ（Ultra  Mobile  Broadband）、ＨＳＤＰＡ（High-Speed  Downlink  Packet  Access）、ＧＳＭ（Global  System  for  Mobile  Communications）などを含む他の無線システムもまた、ここで開示される本発明の実施形態を活用することからの恩恵を受け得る。
【００２９】
また、基地局（ｅＮｏｄｅＢあるいは進化型ＮｏｄｅＢともいう）及び無線端末（ＵＥあるいはユーザ機器ともいう）などの用語は、非限定的であると解釈されるべきであって、それら２つの間の何らかの階層的な関係を示唆するものでないことに留意されたい。概して、基地局（例えば、“ｅＮｏｄｅＢ”）及び無線端末（例えば、“ＵＥ”）は、ワイヤレス無線チャネル上で互いに通信するそれぞれ異なる通信デバイスの例であると見なされてよい。ここで議論される実施形態がｅＮｏｄｅＢからＵＥへのダウンリンクでの無線送信に焦点を当て得る一方、本発明の実施形態は例えばアップリンクにも適用されてよい。
【００３０】
図１は、本発明のいくつかの実施形態に従って動作するように構成される通信システムのブロック図である。ＬＴＥ（Long  Term  Evolution）ＲＡＮであり得る例としてのＲＡＮ６０が示されている。ＬＴＥ  ＲＡＮは、３ＧＰＰ  ＲＡＮの一変種であって、そこでは無線基地局（例えばｅＮｏｄｅＢ）１００は無線ネットワークコントローラ（ＲＮＣ）ノードよりもむしろ１つ以上のコアネットワーク７０へ直接的に接続される。ＬＴＥにおいて、無線ネットワークコントローラ（ＲＮＣ）ノードの機能は、無線基地局１００により実行される。無線基地局１００は、それぞれの通信サービスセル（カバレッジエリアともいう）の内部にいる無線端末（ユーザ機器ノードあるいはＵＥともいう）２００との間で、無線チャネル３００上で通信する。無線基地局１００は、当業者にとってはよく知られているように、Ｘ２インタフェースを通じて互いに、及びＳ１インタフェースを通じてコアネットワーク７０との間で通信することができる。
【００３１】
図２は、本発明のいくつかの実施形態に従って無線チャネル３００上で通信する、図１の基地局１００及び無線端末２００のブロック図である。図示したように、基地局１００は、プロセッサ１０１とアンテナ１１７（例えば、複数のアンテナを含むアンテナアレイ）との間に結合される送受信器１０９と、プロセッサ１０１に結合されるメモリ１１８とを含み得る。さらに、無線端末２００は、アンテナ２１７（例えば、複数のアンテナを含むアンテナアレイ）とプロセッサ２０１との間に結合される送受信器２０９と、（例えば、ディスプレイ、タッチ反応型スクリーン、キーパッド、マイクロフォン、スピーカなどのうち１つ以上を含む）ユーザインタフェース２２１とを含み、プロセッサ２０１にはメモリ２１８が結合され得る。図２のエレメントは例示の手段で示されており、図示されたエレメントが省略されてもよく、及び／又は他のエレメントが含まれてもよい。Ｍ２Ｍ又はＭＴＣタイプのデバイスでは、例えば、無線端末２００のユーザインタフェースは省略されてもよい。このようにして、基地局１００は、無線端末２００でのアンテナ２１７及び送受信器２０９を通じた受信のために、送受信器１０９及びアンテナアレイ１１７を通じて通信信号を送信し、無線端末２００は、基地局１００でのアンテナ１１７及び送受信器１０９を通じた受信のために、送受信器２０９及びアンテナ２１７を通じて通信信号を送信し得る。
【００３２】
ここで開示されるいくつかの実施形態によれば、無線アクセスネットワーク６０は、異なるグループの無線端末に異なる禁止レート修飾子（barring  rate  modifiers）及び／又は異なるアクセス禁止期間修飾子（access  barring  duration  modifiers）を提供することにより、異なるグループの無線端末（ＵＥ）について異なるアクセス制御パラメータを提供し得る。無線アクセスネットワーク６０は、例えば、異なるサブセット（例えば、アクセスクラス）の無線端末（ＵＥ）について同じ禁止レート及び／又は同じアクセス禁止期間を提供してもよいが、無線アクセスネットワーク６０は、異なるサブセット（例えば、アクセスクラス）の無線端末（ＵＥ）について異なる禁止レート修飾子及び／又は異なるアクセス禁止期間を提供し得る。そして、各無線端末は、（グローバル禁止レートと特定の無線端末のためのそれぞれの禁止レート修飾子と、に基づく及び／若しくはに応じた）修正された禁止レートを用いて、並びに／又は（グローバルアクセス禁止期間と特定の無線端末のためのそれぞれのアクセス禁止期間修飾子と、に基づく及び／若しくはに応じた）修正されたアクセス禁止期間を用いて、ネットワークアクセスを許容し／ブロックし得る。
【００３３】
よって、基地局１００のプロセッサ１０１は、複数の無線端末２００について禁止レート及びアクセス禁止期間を提供するように構成され得る。より具体的には、複数の無線端末２００は、第１のサブセットの無線端末（例えば、無線端末２００ａ及び２００ｂ）並びに第２のサブセットの無線端末（例えば、無線端末２００ｃ及び２００ｄ）を含んでよく、第１及び第２のサブセットは相互排他的である。さらに、禁止レート及びアクセス禁止期間は、複数の無線端末２００へ、無線チャネル３００上で送受信器１０９及びアンテナアレイ１１７を通じてプロセッサ１０１から送信され得る。
【００３４】
基地局１００のプロセッサ１０１は、さらに、第１のサブセットの無線端末（例えば、無線端末２００ａ及び２００ｂ）についての第１の禁止レート修飾子及び第１のアクセス禁止期間修飾子を提供し、並びに、第２のサブセットの無線端末（例えば、無線端末２００ａ及び２００ｂ）についての（第１の禁止レート修飾子とは異なる）第２の禁止レート修飾子及び（第１のアクセス禁止期間修飾子とは異なる）第２のアクセス禁止期間修飾子を提供するように構成されてもよい。第１の禁止レート修飾子及び第１のアクセス禁止期間修飾子は、第１のサブセットの無線端末２００ａ及び２００ｂへ、無線チャネル３００上で送受信器１０９及びアンテナアレイ１１７を通じてプロセッサ１０１から送信され、第２の禁止レート修飾子及び第２のアクセス禁止期間修飾子は、第２のサブセットの無線端末２００ｃ及び２００ｄへ、無線チャネル３００上で送受信器１０９及びアンテナアレイ１１７を通じてプロセッサ１０１から送信されてもよい。
【００３５】
よって、同じ禁止レートを提供されている異なるサブセットの無線端末２００ａ〜ｂ及び２００ｃ〜ｄが異なる禁止レート修飾子に基づいて異なるアクセスの確率を提供され、及び／又は、同じアクセス禁止期間を提供されている異なるサブセットの無線端末２００ａ〜ｂ及び２００ｃ〜ｄが異なるアクセス禁止期間修飾子に基づいて異なる禁止期間を提供され得る。よって、第１のサブセットの無線端末２００ａは、禁止レート、第１の禁止レート修飾子、アクセス禁止期間、及び第１のアクセス禁止期間修飾子を受信し、第２のサブセットの無線端末２００ｃは、禁止レート、第２の禁止レート修飾子、アクセス禁止期間、及び第２のアクセス禁止期間修飾子を受信し得る。
【００３６】
例によれば、無線端末２００ａのプロセッサ２０１は、基地局１００から、無線チャネル３００上でアンテナ２１７及び送受信器２０９を通じて、禁止レート、第１の禁止レート修飾子、アクセス禁止期間、及び第１のアクセス禁止期間修飾子を受信し得る。無線端末２００ａのプロセッサ２０１は、さらに、禁止レート及び第１の禁止レート修飾子に応じて（当該禁止レートとは異なる）第１の修正された禁止レートを提供し／計算するように、並びに、アクセス禁止期間及び第１のアクセス禁止期間修飾子に応じて（当該アクセス禁止期間とは異なる）第１の修正されたアクセス禁止期間を提供し／計算するように構成され得る。
【００３７】
無線アクセスネットワーク６０へのアクセスの試行に応じて、無線端末２００ａのプロセッサ２０１は、ランダム数を提供し／生成し得る。当該ランダム数が第１の修正された禁止レートの閾値を充足する場合（例えば、当該ランダム数が第１の修正された禁止レートよりも低い場合）、無線端末２００ａのプロセッサ２０１は、無線アクセスネットワーク６０へのアクセスを許容し得る。当該ランダム数が第１の修正された禁止レートの閾値を充足しない場合（例えば、当該ランダム数が第１の修正された禁止レートよりも大きい場合）、無線端末２００ａのプロセッサ２０１は、無線アクセスネットワーク６０への無線端末２００ａのアクセスをブロックし得る。無線端末２００ａの無線アクセスネットワークへのアクセスをブロックすることに応じて、無線端末２００ａのプロセッサ２０１は、第１の修正されたアクセス禁止期間により定義される時間ピリオドにわたって、無線アクセスネットワーク６０への無線端末２００ａのアクセスのブロックを継続し得る。第１のアクセス禁止期間が経過すると、無線端末２００ａは、無線アクセスネットワーク６０へのアクセスの再度の試行を開始し得る。
【００３８】
同様に、無線端末２００ｃのプロセッサ２０１は、基地局１００から、無線チャネル３００上でアンテナ２１７及び送受信器２０９を通じて、禁止レート、第２の禁止レート修飾子、アクセス禁止期間、及び第２のアクセス禁止期間修飾子を受信し得る。無線端末２００ｃのプロセッサ２０１は、さらに、禁止レート及び第２の禁止レート修飾子に応じて（当該禁止レートと等しく又は異なり、第１の修正された禁止レートとは異なる）第２の修正された禁止レートを提供し／計算するように、並びに、アクセス禁止期間及び第２のアクセス禁止期間修飾子に応じて（当該アクセス禁止期間とは異なり、第１の修正されたアクセス禁止期間とは異なる）第２の修正されたアクセス禁止期間を提供し／計算するように構成され得る。
【００３９】
無線アクセスネットワーク６０へのアクセスの試行に応じて、無線端末２００ｃのプロセッサ２０１は、ランダム数を提供し／生成し得る。当該ランダム数が第２の修正された禁止レートの閾値を充足する場合（例えば、当該ランダム数が第２の修正された禁止レートよりも低い場合）、無線端末２００ｃのプロセッサ２０１は、無線アクセスネットワーク６０へのアクセスを許容し得る。当該ランダム数が第２の修正された禁止レートの閾値を充足しない場合（例えば、当該ランダム数が第２の修正された禁止レートよりも大きい場合）、無線端末２００ｃのプロセッサ２０１は、無線アクセスネットワーク６０への無線端末２００ｃのアクセスをブロックし得る。無線端末２００ｃの無線アクセスネットワークへのアクセスをブロックすることに応じて、無線端末２００ｃのプロセッサ２０１は、第２の修正されたアクセス禁止期間により定義される時間ピリオドにわたって、無線アクセスネットワーク６０への無線端末２００ｃのアクセスのブロックを継続し得る。第２のアクセス禁止期間が経過すると、無線端末２００ｃは、無線アクセスネットワーク６０へのアクセスの再度の試行を開始し得る。
【００４０】
よって、異なるサブセットの無線端末についてのネットワークアクセスが、同じ禁止レート及びアクセス禁止期間、但し異なる禁止レート修飾子及びアクセス禁止期間修飾子を用いて、決定され得る。さらに、同じサブセットの無線端末についての禁止レート修飾子及びアクセス禁止期間修飾子は、無線アクセスネットワーク６０が異なる禁止レート修飾子及び／又はアクセス禁止期間修飾子を送信するに従って経時的に変化してもよい。図３及び図４のフローチャートを基準として、ネットワーク及び無線端末の動作がより詳細に以下に議論される。
【００４１】
図３は、本発明のいくつかの実施形態に係る、基地局１００などの無線アクセスネットワーク６０のノードの動作を例示するフローチャートである。ブロック３０１において、基地局１００のプロセッサ１０１は、相互排他的な第１及び第２のサブセットの無線端末２００ａ〜ｂ及び２００ｃ〜ｄを含む複数の無線端末２００についての、グローバル禁止レート及びグローバルアクセス禁止期間を提供し／決定し得る。異なるサブセットの無線端末２００ａ〜ｂ及び２００ｃ〜ｄは、例えば、上で議論したような異なるアクセスクラスとして識別され得る。グローバル禁止レート及びグローバルアクセス禁止期間は経時的に（例えば、ブロック３０１を通る様々な反復において）変化し得る一方、同じグローバル禁止レート及びグローバルアクセス禁止期間が複数の無線端末の全てのサブセットのために提供され得る。
【００４２】
例えば、プロセッサ１０１は、基地局１００のキャパシティ／負荷に基づいて、グローバル禁止レート及びグローバルアクセス禁止期間を決定してよい。代替手段において、グローバル禁止レート及びグローバルアクセス禁止期間は、ＲＡＮ６０内及び／又はコアネットワーク７０内の上位レベルのコントローラ／プロセッサ（例えば、移動性管理エンティティ／サービングゲートウェイあるいはＭＭＥ／Ｓ−ＧＷ）から受信されてもよく、当該上位レベルのコントローラ／プロセッサは、複数の基地局に結合され、個別の基地局の外部のＲＡＮ６０及び／又はコアネットワーク７０の複数のエレメントにまたがってキャパシティ／負荷を考慮する。それ故、グローバル禁止レート及びグローバルアクセス禁止期間は、個別の基地局のキャパシティ／負荷に基づき、複数の基地局のキャパシティ／負荷に基づき、無線アクセスネットワーク６０のキャパシティ／負荷に基づき、及び／又はＲＡＮ６０に結合される１つ以上のコアネットワークのキャパシティ／負荷に基づき得る。代替的に、グローバル禁止レート及びグローバルアクセス禁止期間は、ＲＡＮ若しくはコアネットワーク内の負荷を推定し／予測し、又はＲＡＮ及びコアネットワークの組合せにおける負荷を予測する何らかのアルゴリズムに基づいてもよい。
【００４３】
グローバル禁止レートは、例えば、ゼロ以上１以下の確率を表現し得るものであり、より高い禁止レートは無線端末がネットワークアクセスを獲得し得るより高い確率を提供し、より低い禁止レートは無線端末がネットワークアクセスを獲得するより低い確率を提供する。グローバルアクセス禁止期間は、第１のアクセス試行が禁止された後に無線アクセスネットワーク６０へのアクセスを試行し得る前に経過しなければならない時間を表現し得る。より高いグローバルアクセス禁止期間は、よって、無線端末のために許容されることになるＲＡＮ６０へのアクセスの試行の頻度を低減し得る。
【００４４】
ブロック３０３において、１つ又は複数のサブセット（１つ又は複数のアクセスクラス）の無線端末についてアクセスの修正が望ましい場合、プロセッサ１０１は、ブロック３０５において、少なくとも１つのサブセット（アクセスクラス）の無線端末のための禁止レート修飾子及びアクセス禁止期間修飾子を提供し／決定し得る。禁止レート修飾子は、ゼロ以上１以下の割合を表現してよく、アクセス禁止期間修飾子は、１以上の倍率を表現する。無線端末は、自身の禁止レート修飾子とグローバル禁止レートとの積として修正された禁止レートを計算し、アクセスの確率を低減し得る。また、無線端末は、自身のアクセス禁止期間修飾子とグローバルアクセス禁止期間との積として修正されたアクセス禁止期間を計算し、アクセス試行の頻度を低減させる。ある装置の禁止レート修飾子は禁止レートを修正せず、ある装置のアクセス禁止期間修飾子はアクセス禁止期間を修正しない。
【００４５】
例によれば、プロセッサ１０１は、第１のサブセットの無線端末２００ａ〜ｂについての第１の禁止レート修飾子（０＜first_barring_rate_modifier＜１）及び第１のアクセス禁止期間修飾子（０＜first_acceess_barring_duration_modifier＜１）を提供し、第２のサブセットの無線端末２００ｃ〜ｄについての第２の禁止レート修飾子（０＜second_barring_rate_modifier＜１）及び第２のアクセス禁止期間修飾子（０＜second_acceess_barring_duration_modifier＜１）を提供し得る。別の時点で、プロセッサ１０１は、第１のサブセットの無線端末についてのみの第１の禁止レート修飾子（０＜first_barring_rate_modifier＜１）及び第１のアクセス禁止期間修飾子（０＜first_acceess_barring_duration_modifier＜１）を提供し、第２のサブセットの無線端末について提供される第２の禁止レート修飾子は無し（又はsecond_barring_rate_modifier＝１）、第２のアクセス禁止期間修飾子は無し（又はsecond_acceess_barring_duration_modifier＝１）であり得る。
【００４６】
そして、プロセッサ１０１は、ブロック３０７において、グローバル禁止レート、グローバルアクセス禁止期間、第１及び第２の禁止レート修飾子、並びに第１及び第２のアクセス禁止修飾子を含む送信されるべき情報ブロックを生成し得る。３ＧＰＰシステムにおいて、情報ブロックは、トランスポートブロックとして物理レイヤで送信され、アクセス禁止情報を含むこの固有の情報／トランスポートブロックは、システム情報ブロックあるいはＳＩＢと称され得る。ブロック３０９において、当該情報ブロックは、（サブセット２００ａ〜ｂ及び２００ｃ〜ｄを含む）複数の無線端末へ、無線チャネル３００上で送受信器１０９及びアンテナアレイ１１７を通じてプロセッサ１０１から送信され得る。情報ブロックのエレメントを適切なフィールドで及び／又は適切な識別子と共に提供することにより、異なるサブセットの無線端末は、当該情報ブロックから、適切な禁止レート修飾子及び／又はアクセス禁止期間修飾子を選択することが可能であり得る。
【００４７】
ブロック３０３においてサブセット（アクセスクラス）についてアクセスの修正が必要でなければ、プロセッサ１０１は、ブロック３１１において、グローバル禁止レート及びグローバルアクセス禁止期間を含み、禁止レート修飾子又はアクセス禁止期間修飾子が提供されない情報ブロックを生成し得る。いくつかの実施形態によれば、禁止レート修飾子及びアクセス禁止期間修飾子のためのフィールドは、アクセスの修正が望まれず／必要とされない場合には省略されてよい。修正が望まれず／必要とされない場合に禁止レート修飾子及び／又はアクセス禁止期間修飾子のためのフィールドが情報ブロックから省略されると、無線端末は、情報ブロック内の修飾子の不在を認識し、グローバル禁止レート及び／又はグローバルアクセス禁止期間を修正することなくアクセスを提供し得る。
【００４８】
他のいくつかの実施形態によれば、禁止レート修飾子及びアクセス禁止期間修飾子のためのフィールドには、修正が望まれず／必要とされない場合に１という既定値が設定され得る。禁止レート修飾子についての１という既定値を提供することにより、無線端末は、１という当該既定値を禁止レートと乗算し、当該禁止レートを変化させないでよい。同様に、アクセス禁止期間修飾子についての１という既定値を提供することにより、無線端末は、１という当該既定値をアクセス禁止期間と乗算し、当該アクセス禁止期間を変化させないでよい。ブロック３０９において、情報ブロックは、（サブセット２００ａ〜ｂ及び２００ｃ〜ｄを含む）複数の無線端末へ、無線チャネル３００上で送受信器１０９及びアンテナアレイ１１７を通じてプロセッサ１０１から送信／ブロードキャストされ得る。
【００４９】
プロセッサ１０１は、ＲＡＮ６０と通信中の無線端末の様々なサブセット（アクセスクラス）のための動的なアクセス制御を提供するために、図３の動作を何度も繰り返してよい。より具体的には、プロセッサ１０１は、ブロック３０３及び３０５を通じて、各繰り返しにおいて、禁止レート修飾子及び／又はアクセス禁止期間修飾子を再検討し得る。後続の繰り返しの間に、ブロック３０５を通じて、例えば、プロセッサ１０１は、第２のサブセットの無線端末についての第２の禁止レート修飾子及び第２のアクセス禁止期間修飾子を維持してもよい。一方で、プロセッサ１０１は、第１のサブセット（アクセスクラス）の無線端末２００ａ〜ｂについての第３の禁止レート修飾子及び第３のアクセス禁止期間修飾子を提供し／決定してもよい。そして、プロセッサ１０１は、グローバル禁止レート、グローバルアクセス禁止期間、第１のサブセットの無線端末についての第３の禁止レート修飾子及び第３のアクセス禁止期間修飾子、並びに第２のサブセットの無線端末についての第２の禁止レート修飾子及び第２のアクセス禁止期間修飾子、を含む第２の情報ブロックを生成し得る。そして、第２の情報ブロックは、第１及び第２のサブセットの無線端末２００ａ〜ｂ及び２００ｃ〜ｄへ、無線チャネル３００上で送受信器１０９及びアンテナアレイ１１７を通じてプロセッサ１０１から送信／ブロードキャストされ得る。
【００５０】
それ故、同じグローバル禁止レート及び同じグローバルアクセス禁止期間が複数のサブセット（アクセスクラス）の無線端末に提供され得る一方、異なるサブセット（アクセスクラス）の無線端末に異なる禁止レート修飾子及び／又は異なるアクセス禁止期間修飾子が提供される。さらに言えば、同じグローバル禁止レート及び同じグローバルアクセス禁止期間を維持しつつ、同じサブセットの無線端末に、異なる時点で、異なる禁止レート修飾子及び／又は異なるアクセス禁止期間修飾子が提供されてもよい。よって、ＲＡＮ６０は、通信相手の無線端末の様々なサブセットについてのアクセスを、動的にかつ別個に制御し得る。
【００５１】
図４は、本発明のいくつかの実施形態に係る、無線端末３００の動作を例示するフローチャートである。上で議論したように、基地局１００は、グローバル禁止レート、グローバルアクセス禁止期間、１つ以上の禁止レート修飾子及び１つ以上のアクセス禁止期間修飾子を各々が有する情報ブロック（例えば、トランスポートブロック、システム情報ブロックあるいはＳＩＢ）を送信し得る。アンテナ２１７及び送受信器２０９を通じてそうした情報ブロックを受信した後、無線端末２００のプロセッサ２０１は、ブロック４０１において、情報ブロックのエレメントを識別することにより、グローバル禁止レート及びグローバルアクセス禁止期間を提供（例えば、読取り、引出し、取得し、受信する、など）し得る。ブロック４０３において、プロセッサ２０１は、情報ブロックのエレメントを識別することにより、禁止レート修飾子及びアクセス禁止期間修飾子を提供（例えば、読取り、引出し、取得し、受信する、など）し得る。上で議論したように、情報ブロックの指定されたフィールド及び／又は識別子によって、無線端末２００を含むサブセット（アセットクラス）の無線端末宛ての修飾子を、プロセッサ２０１が識別することが可能とされ得る。
【００５２】
プロセッサ２０１は、ブロック４０５において（例えば、呼を開始し／受け付け、データを開始し／受け付けるなどのために）ＲＡＮ６０へ無線端末２００がアクセスを試行するまで、ブロック４０５においてブロック４０１及び４０３を通るサイクルを行い得る。ＲＡＮ６０へのアクセスの試行が開始されると、ブロック４０７において、プロセッサ２０１は、グローバル禁止レート及び無線端末が属するサブセット（アクセスクラス）についての禁止レート修飾子に応じて、修正された禁止レートを提供し／計算する。また、ブロック４０７において、プロセッサ２０１は、グローバルアクセス禁止期間及び無線端末が属するサブセット（アクセスクラス）についてのアクセス禁止期間修飾子に応じて、修正されたアクセス禁止期間を提供し／計算する。
【００５３】
より具体的には、修正された禁止レートは、グローバル禁止レート及び禁止レート修飾子の積として計算されることができる。禁止レートの修正が意図されていない場合、乗算後にグローバル禁止レートが不変に保たれるように１という禁止レート修飾子が提供されてもよく（即ち、基地局１００から受信されてもよく）、又はプロセッサ２０１が乗算なしでグローバル禁止レートを使用し得るように情報ブロックから当該無線端末についての禁止レート修飾子が省略されてもよい。禁止レートの修正が意図される場合、１よりも小さい禁止レート修飾子が受信される情報ブロック内に提供され得る。
【００５４】
同様に、修正されたアクセス禁止期間は、グローバルアクセス禁止期間及びアクセス禁止期間修飾子の積として計算されることができる。アクセス禁止期間の修正が意図されていない場合、乗算後にグローバルアクセス禁止期間が不変に保たれるように１というアクセス禁止期間修飾子が提供されてもよく（即ち、基地局１００から情報ブロック内で受信されてもよく）、又はプロセッサ２０１が乗算なしでグローバル禁止レートを使用し得るように（情報ブロックで）送信されるべきシステム情報から当該無線端末についてのアクセス禁止期間修飾子が省略されてもよい。アクセス禁止期間の修正が意図される場合、１よりも小さいアクセス禁止期間修飾子が受信される情報ブロック内に提供され得る。
【００５５】
そして、プロセッサ２０１は、ブロック４０９において、ランダム数を提供し／生成し、ブロック４１１において、当該ランダム数を修正された禁止レートと比較する。ブロック４１１においてランダム数が修正された禁止レートの閾値を充足する場合（例えば、ランダム数が修正された禁止レートよりも小さい場合）、ＲＡＮ６０へのアクセスの試行がブロック４１５において許容され得る。ブロック４１１においてランダム数が修正された禁止レートの閾値を充足しない場合（例えば、ランダム数が修正された禁止レートよりも大きい場合）、ＲＡＮ６０へのアクセスの試行がブロック４１７においてブロックされ得る。禁止レートの修正が提供されない場合、プロセッサ２０１は、ブロック４１１において、ランダム数をグローバル禁止レートと比較し得る。
【００５６】
ブロック４１７及び４１９において、プロセッサ２０１は、修正されたアクセス禁止期間により（又は修正が必要とされず／望まれない場合にはグローバルアクセス禁止期間により）定義される時間ピリオドにわたって、無線アクセスネットワーク６０へのアクセスのブロックを継続し得る。無線アクセスネットワーク６０へのアクセスの試行のブロック後の禁止の期間を増加させるためにアクセス禁止期間修飾子を使用することで、当該アクセス禁止期間修飾子を受信する無線端末のサブセットによるアクセス試行の頻度は低減され得る。
【００５７】
図４の動作は、無線端末の動的なアクセス制御を提供するために、いかなる回数だけ繰り返されてもよい。言い換えれば、ブロック４０１及び４０３の動作は無線アクセスネットワーク６０から受信される各情報ブロックについて繰り返されてもよく、ブロック４０７、４０９、４１１、４１５、４１７及び４１９の動作は、無線端末が無線アクセスネットワーク６０へのアクセスを試行する都度繰り返されてもよい。それ故、無線アクセスネットワークへのアクセスの異なる試行の間に、異なる禁止レート若しくは修正された禁止レート、及び／又は異なるアクセス禁止期間若しくは修正されたアクセス禁止期間が使用され得る。
【００５８】
図４のフローチャートを通じた後続する繰り返しの間、例えば、基地局１００は、グローバル禁止レート、グローバルアクセス禁止期間、当該無線端末についての第２の禁止レート修飾子、及び当該無線端末についての第２のアクセス禁止期間修飾子を含む他の情報ブロックを送信し得る。そうした情報ブロックのアンテナ２１７及び送受信器２０９を通じた受信後に、無線端末２００のプロセッサ２０１は、当該情報ブロックのエレメントを識別することにより、ブロック４０１において、同じグローバル禁止レート及び同じグローバルアクセス禁止期間を維持し得る。ブロック４０３において、プロセッサ２０１は、情報ブロックのエレメントを識別することにより、（前回の禁止レート修飾子とは異なる）第２の禁止レート修飾子、及び（前回のアクセス禁止期間修飾子とは異なる）第２のアクセス禁止期間修飾子を提供し得る。ブロック４０７、４０９、４１１、４１５、４１７及び４１９の動作は、修飾子が変化する以外は、上で議論したものと同じであってよい。それ故、グローバル禁止レートが不変で保たれるとしても、異なるアクセス試行の間の異なる禁止レート修飾子に基づいて、ブロック４０７、４０９及び４１１で異なる禁止レートが適用され得る。同様に、グローバルアクセス禁止期間が不変で保たれるとしても、異なるアクセス試行の間の異なるアクセス禁止期間修飾子に基づいて、ブロック４０７、４１７及び４１９で異なるアクセス禁止レート期間が適用され得る。
【００５９】
本発明のいくつかの実施形態によれば、禁止レート修飾子及び／又はアクセス禁止期間修飾子は、よって、固有のサブセット（アクセスクラス）の無線端末を対象としてよく、それにより禁止レート修飾子及びアクセス禁止期間修飾子がＲＡＮ６０と通信する無線端末の対象のサブセットに適用され、ＲＡＮ６０と通信する当該サブセットの外部の他の無線端末には適用されない。よって、ＲＡＮ６０は、ＲＡＮ６０と通信する異なるサブセット（アクセスクラス）に属する無線端末についての異なるアクセス制御特性を提供し得る。
【００６０】
本発明のいくつかの他の実施形態によれば、禁止レート修飾子及び／又はアクセス禁止期間修飾子は、固有のクラスのサービス（例えば、音声サービス、データサービスなど）を対象としてもよい。例えば、禁止レート修飾子及び／又はアクセス禁止期間修飾子は、固有のサブセット（アクセスクラス）の無線端末についての固有のクラスのサービスを対象としてもよい。さらに言えば、異なるクラスのサービスについての異なる禁止レート修飾子及び／又は異なるアクセス禁止期間修飾子が、同じサブセット（アクセスクラスの無線端末について提供されてもよく、それにより、同じ無線端末のための異なるクラスのサービスに異なるアクセス制御特性が適用され得る。例えば、異なる禁止レート修飾子及び／又は異なるアクセス禁止期間修飾子が、（当該修飾子が対象とするサブセット又はアクセスクラスに属する）同じ無線端末から提供される音声サービス及びデータサービスのために提供されてもよい。
【００６１】
本発明のまた別の実施形態によれば、禁止レート修飾子及び／又はアクセス禁止期間修飾子は、無線アクセスネットワーク６０のサブネットワークの無線端末を対象としてもよい。例えば、サブネットワークは複数のＰＬＭＮ（Public  Land  Mobile  Networks）のうちの１つであってもよく、サブネットワークは無線事業者のネットワークによりホスティングされる移動体仮想事業者のネットワーク（ＭＶＮＯ）であってもよい。
【００６２】
よって、本発明の実施形態は、無線アクセスネットワーク６０によりブロードキャストされるアクセス制御パラメータ（例えば、禁止レート及び／又はアクセス禁止期間）を修正してＲＡＮ６０内で過負荷防止及び／又は輻輳制御の仕組みを変更し得るような、サービス又は無線端末の少なくとも１つの特殊化（specialization）を提供し／生成し得る。
【００６３】
複数の可能な実施形態は、異なるサブセット（例えば、異なるサービス／アクセスクラス）のデバイスをハンドリングするように、ＥＡＢ（Extended  Access  Barring）の仕組みを修正し得る。１つの実施形態は、様々なサービス、デバイスクラス又は加入タイプに向けて、マルチメディアテレフォニー（ＭＭＴＥＬ）についてのＳＳＡＣ（Service  Specific  Access  Control）を拡張することである。例えば、“エネルギーメータ”というタイプのデバイスとサービスタイプ“メータ読取り”とを有する２つのスマートグリッド事業者は、それぞれのスマートグリッドの運用のために異なるようにメータを使用することができる（例えば、一方は多量の揮発性エネルギー源を有していて自身のデバイスのためにより高優先度のシルバー加入タイプを選択し、他方はより低優先度のシルバー加入を選択する）。
【００６４】
例によれば、（AC-BarringModifier(Service_or_Device_Class)ともいう)アクセス制御（ＡＣ）禁止レート修飾子及び（AC-BarringTimeMultiple(Service_or_Device_Class)ともいう）アクセス制御（ＡＣ）アクセス禁止期間修飾子は、特化した輻輳制御を保証する各サービスクラスに関連付けられ得る。上で議論したように、禁止レート修飾子、アクセス禁止期間修飾子、グローバル禁止レート及びグローバルアクセス禁止期間は、ＲＡＮ６０によって、トランスポートブロック、システム情報ブロックあるいはＳＩＢといった情報ブロック内で送信され得る。当該サービス又はデバイスクラスに対応する無線端末（ＵＥ）は、当該修飾子を用いて、グローバルブロードキャストパラメータ（例えば、AC-BarringFactor(SIB)ともいうグローバル禁止レート、及びAC  BarringTime(SIB)ともいうグローバルアクセス禁止期間）を修正することになる。（AC-BarringFactorともいう）修正された禁止レートは、禁止レート修飾子とグローバル禁止レートとの積として計算され得る（即ち、AC-BarringFactor＝AC-BarringFactor(SIB)＊AC-BarringModifier(Service_or_Device_Class)）。修正されたアクセス禁止期間は、アクセス禁止期間修飾子とグローバルアクセス禁止期間との積として計算され得る（即ち、AC-BarringTime＝AC-BarringTime(SIB)＊AC-BarringTimeMultiple(Service_or_Device_Class)）。
【００６５】
ＥＡＢがアクティブである場合の例として、禁止レートのためのグローバル（既定）値（AC-BarringFactor(SIB)）及びアクセス禁止期間（AC-BarringTime(SIB)）は、それぞれ０．５（５０％）及び４秒である。禁止レート修飾子（AC-BarringModifier(Service_or_Device_Class)）が１／１０（０．１）、アクセス禁止期間修飾子（AC-BarringTimeMultiple(Service_or_Device_Class)）が２であれば、修正された禁止レート（AC-BarringFactor）は５％（０．０５）まで低減され、修正されたアクセス禁止期間（AC-BarringTime）は８秒にまで増加されることになる。それ故、この特殊なサービスクラス（例えば、相対的に優先度の低いセンサのクラス）に属する無線端末は、ＲＡＮ６０へのアクセスの全ての試行の５％のみを成功裏に完了させ、ＲＡＮ６０へのアクセス試行の失敗の後、無線端末は、少なくとも８秒にわたって、後続する試行からブロックされることになる。
【００６６】
いくつかの実施形態において、AC-BarringForMO-Data（Access  Control  Barring  for  Mobile  Originating  Data)のAC-BarringForMO-Signaling（Access  Control  Barring  for  Mobile  Originating  Signaling)がアクティブ化される場合、AC-BarringFactor及びAC-BarringTimeのための既定のＥＡＢパラメータは、ＲＡＮへのアクセス試行の成功裏の完了の確率の観点及び時間（秒）の観点の双方において、１００％（１）と解釈されることになる。２０１１年９月の３ＧＰＰ  ＴＳ３６．３３１，Ｖ１０．３．０を参照されたい。その理由は、個別の特定のサービスクラスがアクセス制限の対象である場合には当該個別の特定のサービスクラスに属しない無線／移動端末を制限する必要性が無いであろうためである。
【００６７】
レガシーネットワークにおいて、ＥＡＢは、Ｅ−ＵＴＲＡ（Evolved  Universal  Terrestrial  Radio  Access  Network）仕様のリリース１０の通りに、ハンドリングされてよい。
【００６８】
追加的な実施形態は、複数のサービスクラスを定義してよく、各サービスクラスには、それぞれのAC-BarringModifier及びAC-BarringTimeMultipleが提供される。
【００６９】
また別の実施形態は、ＭＶＮＯ（Mobile  Virtual  Network  Operator）に本発明のコンセプトを拡張してよく、その場合、ホスティング側のＰＬＭＮによりブロードキャストされるトップレベルのパラメータを変更するために、禁止レート修飾子及び／又はアクセス禁止期間修飾子が使用される。それに応じて、異なる仮想事業者について、異なる禁止レート修飾子及び／又はアクセス禁止期間修飾子が使用され得る。
【００７０】
いくつかの追加的な実施形態に寄れば、AC-BarringModifier及びAC-BarringTimeMultipleは地理的に変化してもよく、その場合、特定のサービスクラス及び／又はデバイスクラスからの負荷を用いて、セル（若しくは基地局）、ロケーションエリア、及び／又はルーティングエリアのための輻輳制御戦略又は過負荷防止が決定される。同じクラスのサービス／デバイス（例えば、電子メータ）について、ＲＡＮ６０及び／又はコアネットワーク７０は、（相対的に電子メータの少ない）過疎な（rural）セルと（相対的に電子メータの多い）過密／準過密（urban/suburban）なセルについて異なるAC-BarringModifier及び／又はAC-BarringTimeMultipleを提供し得る。
【００７１】
いくつかの他の実施形態によれば、サービスクラス／デバイスクラスについてのAC-BarringModifier及びAC-BarringTimeMultipleは、１日の経過に沿って変化してもよく、それにより、１日のある時間帯においてあるサービス／デバイスがより高い又はより低いアクセス優先度を有することができる。例えば、センサなどのあるＭ２Ｍ又はＭＴＣデバイスは、１日のある時間帯に、より頻繁に測定結果を成功裏に報告するように構成され得る。より具体的には、交通量測定機には、交通量の多い期間中（例えば、ラッシュアワーの間）に、より高いAC-BarringModifierとより低いAC-BarringTimeMultipleとが提供され得る。
【００７２】
いくつかの追加的な実施形態は、無線セル（基地局）及び／又は隣接無線セル（基地局）における負荷に依存して、サービスクラス／デバイスクラスについてのAC-BarringModifier及びAC-BarringTimeMultipleを変化させ得る。それにより、無線セルの負荷は、無線送信キャパシティの利用率、バックホールネットワークの利用率、無線ノードの処理負荷、又は無線ノードのメモリ使用率に沿うことができる。例えば、低いアクセス禁止確率（即ち、高いAC-BarringModifier）及び低いアクセス禁止時間（期間）がアクセス遅延を低減することを可能とするために負荷の低い無線セルに提供され、高いアクセス禁止確率（即ち、低い禁止レート）及び高いアクセス禁止時間（AC-BarringTimeMultiple）がセルの負荷を低減するために負荷の高い（例えば、負荷が何らかの負荷閾値を上回る場合の）無線セルに提供され得る。
【００７３】
またさらなる実施形態によれば、ＲＡＮ６０をホームＰＬＭＮとしてそこで動作中の無線端末について、ＲＡＮ６０内で動作するローミング中の（即ち、異なるホームＰＬＭＮを有する）無線端末とは対照的な、異なるAC-BarringModifier及びAC-BarringTimeMultipleが提供されてもよい。言い換えれば、ＲＡＮ６０内でそこをホームネットワークとして動作している無線端末は、ＲＡＮ６０内でローミング中の無線端末に対して相対的に、優先的に（例えば、より高いAC-BarringModifier及びより低いAC-BarringTimeMultipleで）扱われてもよい。さらに言えば、ローミング中の無線端末の中でも、当該無線端末のホームＰＬＭＮがＲＡＮ６０の優先ＰＬＭＮのリストにあるか否かに依存して、AC-BarringModifier及びAC-BarringTimeMultipleが異なるように設定されてもよい。
【００７４】
本発明のさらなる実施形態において、AC-BarringModifier及びAC-BarringTimeMultipleは、異なるコアネットワークを運用し但しＲＡＮ６０又はそのエレメントを共用する異なるサービス事業者／プロバイダに加入する無線端末について異なるように設定されてもよい。例えば、AC-BarringModifier及びAC-BarringTimeMultipleは、コアネットワーク７０内の負荷（コアネットワークノード内の処理負荷、コアネットワークノード内のメモリ使用率、又はトランスポートネットワーク利用率であってよい）に従って設定されてよい。ＲＡＮ６０が無線アクセスネットワーク６０に接続されるそれぞれ異なるコアネットワークを使用する複数の事業者／プロバイダにより共用される場合、AC-BarringModifier及びAC-BarringTimeMultipleは、それぞれのコアネットワークのコアネットワーク負荷に依存して、異なるコアネットワークに接続する無線端末について異なるように設定されてもよい。
【００７５】
さらに言えば、上で議論した実施形態は、ＵＴＲＡＮ及び／又はＥ−ＵＴＲＡＮ無線通信システムに適用されてもよい。加えて、異なるサービスクラス／デバイスクラス、ＰＬＭＮロケーションの観点でのユーザのタイプ、及び／又は共用されるＲＡＮの観点での事業者、に基づくAC-BarringModifier及びAC-BarringTimeMultipleの値が、例えばトランスポートブロック、標準化されたシステム情報ブロックあるいはＳＩＢといった情報ブロックのエレメントとして、基地局からセル内へブロードキャストされてもよい。
【００７６】
また別の実施形態によれば、異なるサービスクラス／デバイスクラス、ＰＬＭＮロケーションの観点でのユーザのタイプ、及び／又は共用されるＲＡＮの観点での事業者、に基づくAC-BarringModifier及びAC-BarringTimeMultipleの値が、デバイスのメモリ内にハードコードされてもよい。
【００７７】
またさらなる実施形態によれば、異なるサービスクラス／デバイスクラス、ＰＬＭＮロケーションの観点でのユーザのタイプ、及び／又は共用されるＲＡＮの観点での事業者、に基づくAC-BarringModifier及びAC-BarringTimeMultipleの値が、無線端末がネットワークへ接続される際に、ネットワーク内に位置するデバイス管理サーバにより制御される（ＯＭＡあるいはOpen  Mobile  Allianceのデバイス管理などの）デバイス管理手続を用いて、無線端末において構成されてもよい。
【００７８】
またさらなる実施形態によれば、ＥＡＢのために構成されない無線端末は、ＥＡＢのために構成される上で議論した無線端末とは異なるAC-BarringModifier及びAC-BarringTimeMultipleを有していてもよい。
【００７９】
よって、本発明のいくつかの実施形態は、移動体無線ネットワークのための輻輳制御及び／又は過負荷防止の仕組みを提供し得る。それら仕組みは、異なるサービスクラス／デバイスクラスにグループ化されるＭＴＣデバイス及び／又は無線端末にサービスを提供するネットワークにおいて特に有益であり得る。
【００８０】
本発明のいくつかの実施形態は、アクセス制御分類（Access  Control  Classification）空間全体が任意のＭＴＣデバイスについて使用されることを許容し、デバイスがサポートするより上位のレイヤのサービスのタイプに依存して、異なるデバイスのアクセス確率を別々にするという柔軟性を事業者に提供し得る。
【００８１】
ホームかローミング中かという無線端末のステータスに依存してアクセス制御が変化する実施形態では、ネットワーク事業者は、自身がオーナであるユーザ／加入者（即ち、ＲＡＮ６０内でそこをホームＰＬＭＮとして動作中の無線端末）に、他の事業者ネットワークの加入者であるローミング中の無線端末に対して相対的に、優先的なアクセス（例えば、高いアクセス確率）を提供するという柔軟性を有し得る。さらに言えば、ＲＡＮ６０と通信する異なるローミング中の無線端末の間での差別化が提供されてもよい。例えば、ＲＡＮ６０の事業者との相互協定を有する他のネットワーク事業者からローミング中の無線端末に、ＲＡＮ６０の事業者との相互協定を有しない他のネットワーク事業者からローミング中の無線端末に対して相対的に、優先アクセス制御が提供されてもよい。
【００８２】
異なるコアネットワークを運用し但しＲＡＮ６０（又はそのエレメント）を共用する異なるサービス事業者／プロバイダに加入する無線端末について異なるAC-BarringModifier及び／又はAC-BarringTimeMultipleが使用されるという実施形態において、ＲＡＮ６０の事業者／オーナのための柔軟性があってもよい。例えば、ＲＡＮ６０の事業者／オーナ及び相対的にキャパシティのより高いコアネットワーク７０は、自身の加入者／顧客の無線端末に、キャパシティのより低いコアネットワークを用いつつ但しＲＡＮ６０を共用する他の事業者／オーナの加入者／顧客である他の無線端末に対して相対的に、より高いアクセス確率を提供するように、AC-BarringModifier及び／又はAC-BarringTimeMultipleを割り当てることができる。
【００８３】
図５は、本発明のいくつかの（３ＧＰＰ  ＴＳ３６．３００に従う）Ｅ−ＵＴＲＡＮ準拠の実施形態に係る、ＲＡＮ及びコアネットワークエレメントの配置／アーキテクチャを例示する図である。図示したように、１つ以上のＭＭＥ／Ｓ−ＧＷ（移動性管理エンティティ／サービングゲートウェイ）ノードが、同じ又は異なるコアネットワーク７０のエレメントとして提供され、ｅＮＢ（ｅＮｏｄｅＢ）基地局ノードが、図１に示したように、ＲＡＮ６０のエレメントとして提供され得る。よって、コアネットワーク７０の１つ以上のＭＭＥ／Ｓ−ＧＷノードは、ＲＡＮ６０のｅＮＢ基地局ノードを通じて通信を行う無線端末についての、AC-BarringFactors、AC-BarringTimes、AC-BarringModifiers及び／又はAC-BarringTimeMultiplesの割り当てを制御し得る。Ｅ−ＵＴＲＡＮ内の及び／又はコアネットワーク内の負荷条件が許容する場合、ＲＡＮ６０の１つ以上のｅＮＢが、ＲＡＮ６０の１つ以上のｅＮＢそれぞれと通信する無線端末について、AC-BarringFactors、AC-BarringTimes、AC-BarringModifiers及び／又はAC-BarringTimeMultiplesの割り当てを制御してもよい。
【００８４】
図６は、本発明のいくつかの実施形態の方法がＥ−ＵＴＲＡＮ準拠のＲＡＮ内で実行される場合に関係するネットワーク（例えば、基地局）の動作を例示している。例えば、アクセス禁止パラメータ（例えば、AC-BarringFactors、AC-BarringTimes、AC-BarringModifiers及び／又はAC-BarringTimeMultiples）をブロードキャストするための情報／トランスポートブロックとして、Ｅ−ＵＴＲＡＮシステム情報ブロック２（ＳＩＢ−２）が使用され得る。ブロック６０１において、ｅＮＢ及び／又はＭＭＥ／Ｓ−ＧＷは、ＲＡＮ６０と通信する１つ以上のサブセット（アクセスクラス）の無線端末についてのAC-BarringModifiers及び／又はAC-BarringTimeMultiplesをオプションとして決定し得る。ブロック６０３において、ｅＮＢ及び／又はＭＭＥ／Ｓ−ＧＷは、AC-BarringModifiers及び／又はAC-BarringTimeMultiplesが補助的サービス又はＰＬＭＮについて利用可能であるかを判定し得る。利用可能でない場合、アクセス制御の修正はブロック６０５において無視され得る。利用可能である場合、ｅＮＢ及び／又はＭＭＥ／Ｓ−ＧＷは、ブロック６０７において、システム情報として、アクセス禁止情報エレメント（例えば、AC-BarringFactor、AC-BarringTime、AC-BarringModifier(s)及び／又はAC-BarringTimeMultiple(s)）を提供し得る。ブロック６０９において、ｅＮＢ及び／又はＭＭＥ／Ｓ−ＧＷは、システム情報を含み、より具体的にはアクセス禁止情報エレメント（例えば、AC-BarringFactor、AC-BarringTime、AC-BarringModifier(s)及び／又はAC-BarringTimeMultiple(s)）を含む情報／トランスポートブロック（例えば、ＳＩＢ−２トランスポートブロック）を構築し得る。ブロック６１１において、ｅＮＢは、通信相手の無線端末へ、当該情報ブロック／トランスポートブロック（例えば、ＳＩＢ−２）をブロードキャストし得る。Ｅ−ＵＴＲＡＮを基準とした議論が行われているが、本発明の実施形態は、ＳＩＢ−３を用いて送信され／ブロードキャストされるアクセス禁止パラメータと共にＵＴＲＡＮを用いて実装されてもよい。
【００８５】
図７は、禁止情報の受信後の、いくつかの実施形態に係るアクセス制御に関する無線端末（ＵＥ）の動作を例示しており、そこでは、無線端末（ＵＥ）がＭＴＣデバイスのアクセスクラスを定義するＰＬＭＮに属し得る。ＲＡＮ６０からのアクセス禁止パラメータ（例えば、AC-BarringFactor、AC-BarringTime、AC-BarringModifier及び／又はAC-BarringTimeMultiple）を含む情報／トランスポートブロック（例えば、ＳＩＢ）の受信後に、無線端末（ＵＥ）のプロセッサ２０１は、ブロック７０１において、情報／トランスポートブロックからシステム情報を読み出し得る。ブロック７０３において情報／トランスポートブロック（例えば、システム情報ブロックあるいはＳＩＢ）内にAC-BarringFactorが無ければ、無線端末は、ブロック７１９及び７２１においてアクセスの試行をブロックすることなく（例えば、AC-BarringTime＝０）動作し得る。言い換えれば、当該無線端末は、ランダム数を生成し又は当該ランダム数を（修正されているかに関わらず）禁止レート若しくは禁止ファクタと比較することなく、全てのアクセス試行を完了させることを許容され得る。
【００８６】
ブロック７０３において情報／トランスポートブロック（例えば、システム情報ブロックあるいはＳＩＢ）内にAC-BarringFactorが含まれていれば、無線端末は、ブロック７０５において、AC-BarringFactorを１００％又は１（AC-BarringFactor＝１００％）に等しく設定し、及びAC-BarringTimeを１（AC-BarringTime＝１）に設定し得る。ブロック７０７において、AC-BarringModifierが無ければ、無線端末はサービスのために利用不能であるか、無線端末は外部のＰＬＭＮに属さず、無線端末は、ブロック７１７においてアクセス制御用のBarringFactors及び／又はBarringTimesを無視することにより継続することができる。ブロック７０７において、AC-BarringModifierがあれば、無線端末はサービスのために利用可能であるか、又は無線端末は外部のＰＬＭＮに属し、無線端末は、ブロック７０９において、情報／トランスポートブロック内で受信したグローバルAC-BarringFactor（AC-BarringFactor(SIB)）及びAC-BarringModifierの積として、修正されたAC-BarringFactorを計算し得る。ブロック７１１において、無線端末は、情報／トランスポートブロック内で受信したグローバルAC-BarringTime(SIB)及びAC-BarringMultipleの積として、修正されたAC-BarringTimeを計算し得る。ブロック７１５において、無線端末は、ブロック７０９及び後続のアクセス試行のためのブロック７２２からの修正されたAC-BarringFactor及び修正されたAC-BarringTimeを用いて、動作を継続し得る。
【００８７】
例としての実施形態が、ここでは、ブロック図並びに／又はフローチャートの、コンピュータ実装の方法、装置（システム及び／若しくはデバイス）及び／若しくはコンピュータプログラムプロダクトの例示を参照しながら説明される。ブロック図及び／又はフローチャートの例示のブロック、並びにブロック図及び／又はフローチャートの例示のブロックの組合せは、１つ以上のコンピュータ回路により実行されるコンピュータプログラム命令によって実装されることができることが理解される。それらコンピュータプログラム命令は、汎用コンピュータ回路、特殊目的コンピュータ回路、及び／又は他のプログラム可能なデータ処理回路のプロセッサ回路に提供されて、コンピュータのプロセッサ及び／又は他のプログラム可能なデータ処理装置を介して実行される当該命令がトランジスタ、メモリロケーション内に記憶される値、及びそうした回路内の他のハードウェア部品を変形させ制御するように、マシンを生み出し、ブロック図及び／又はフローチャートの１つ又は複数のブロックにおいて特定した機能／動作を実装し、それにより、ブロック図及び／又はフローチャートのブロックにおいて特定した機能／動作を実装するための手段（機能性）及び／又は構造が生成される。
【００８８】
また、これらコンピュータプログラム命令は、コンピュータ又は他のプログラム可能なデータ処理装置を特定の形で機能させるように指示することのできる有形のコンピュータ読取可能な媒体に記憶されてもよく、それにおり、コンピュータ読取可能な媒体内に記憶される命令は、ブロック図及び／又はフローチャートの１つ又は複数のブロックにおいて特定した機能／動作を実装する命令を含む製品を生み出す。それ故、本発明の実施形態は、ハードウェア、及び／又は、“回路”、“モジュール”若しくはそれらの派生として総称され得るデジタル信号プロセッサなどのプロセッサ上で実行される（ファームウェア、常駐ソフトウェア、マイクロコードなどを含む）ソフトウェアで具現化され得る。
【００８９】
また、いくつかの代替的な実装において、ブロックに記述した機能／動作は、フローチャート内で記述した以外の順序で発生し得ることにも留意すべきである。例えば、連続して示された２つのブロックは、実際には実質的に並列的に実行されてもよく、又は、関係する機能性／動作に依存して、当該ブロックは逆の順序で実行されることがあってもよい。さらに言えば、フローチャート及び／若しくはブロック図の所与のブロックの機能性は複数のブロックに分離されてもよく、並びに／又はフローチャート及び／若しくはブロック図の２つ以上のブロックの機能性は少なくとも部分的に集約されてもよい。最後に、図示されたブロックの間に他のブロックが追加され／挿入されてもよく、及び／又は本発明の範囲から逸脱することなくブロック／動作が省略されてもよい。さらに言えば、通信の主な方向を示すために通信パス上の矢印をいくつかの図は含むものの、通信は図示された矢印とは反対方向に発生してもよいことが理解されるべきである。
【図１】
2014525217.tif 000003
【図２】
2014525217.tif 000004
【図３】
2014525217.tif 000005
【図４】
2014525217.tif 000006
【図５】
2014525217.tif 000007
【図６】
2014525217.tif 000008
【図７】
2014525217.tif 000009
【国際調査報告】
2014525217.tif 000010
2014525217.tif 000011
2014525217.tif 000012